(57)【要約】【課題】配管連結部材を簡素化し、生産性を向上することで安価な配管連結部材を提供することを目的とする。【解決手段】対称な２本の略棒状の脚部１ａと前記脚部１ａと連なる胴部１ｂを有する略コ形状の抜け止めピン１と、連結穴３ａを有する連結穴部材３とを備え、前記抜け止めピン１の２本の略棒状の脚部１ａを前記連結穴３ａに挿入することで配管２に嵌まり、前記配管２と前記連結穴部材３とを連結することで、配管連結部材を簡単な形状で簡素化でき、配管２に確実に抜け止めピン１を固定し、抜け止め防止できることや、簡単な形状のため加工工数が少なくでき、生産性を向上することで安価な配管連結部材を提供することができる。【選択図】図１
2009019724.tif 000002
【特許請求の範囲】
【請求項１】
対称な２本の略棒状の脚部と前記脚部と連なる胴部を有する略コ形状の抜け止めピンと、連結穴を有する連結穴部材とを備え、前記抜け止めピンの２本の略棒状の脚部を前記連結穴に挿入することで配管に嵌まり、前記配管と前記連結穴部材とを連結することを特徴とする配管連結部材。
【請求項２】
抜け止めピンの２本の略棒状の脚部が挿入される連結穴部材の複数の連結穴は、長穴形状としたことを特徴とする請求項１に記載の配管連結部材。
【請求項３】
抜け止めピンの略棒状の脚部の一部の形状は、配管に沿うＲ形状を形成していることを特徴とする請求項１または２記載の配管連結部材。
【請求項４】
抜け止めピンは、弾性を有した材質を用いることを特徴とする請求項１〜３のいずれか１項に記載の配管連結部材。
【発明の詳細な説明】
【技術分野】
【０００１】
本発明は、配管連結部材に関するものである。
【背景技術】
【０００２】
図６に示すように、従来の抜け止めピン１１及び２部材の連結部構造は、対向して延在する２本の脚部１２の基部を互いに連結する略棒状の連結腕１３を備える略コ形状の抜け止めピンであって、連結腕１３の中央部が、２本の脚部１２と連結腕１３の両端部とが含まれる平面に対し面外方向へ９０°屈曲し、互いに対向する２本の腕部１３ａを形成しつつ延在している。
【０００３】
両外方向へ屈曲して延在する連結腕１３の中央部の先端部１３ｂが、更に面外方向へ略９０°屈曲しており、先端部１３ｂが含まれる平面が、２本の脚部１２と連結腕１３の両端部とが含まれる平面と略平行に延在している。
【０００４】
また、従来の抜け止めピン１１及び２部材の連結部構造は、図７に例示するような、２部材の連結部構造の構成部品として使用される。
【０００５】
図７の連結構造は、管材１４と、拡径した一端１５ａが管材１４の一端１４ａに緊密に嵌入した管材１５と、抜け止めピン１１とにより構成されている。管材１４の一端１４ａ近傍部に形成された一対の連結穴１４ｂにピン１１の一対の脚１２が挿通されている。各連結穴１４ｂは管材１４の周壁を２度貫通しており、連結穴１４ｂに挿通された脚部１２の一部は、管材１４の内部空間内で延在する。脚部１２の、管材１４の内部空間内で延在する部位は、管材１５の拡径した一端１５ａの基部外周面が形成する環状の段部１５ｂに係合し、管材１５の管材１４からの抜け落ちを防止している。
【０００６】
連結腕１３の面外方向へ屈曲して延在する中央部が形成する２本の腕部１３ａは、管材１４の外側面に沿って、管材１４の長手方向へ延在している。前記中央部の更に面外方向へ屈曲した先端部１３ｂは、管材１４の外側面から径方向外方へ向けて起立している。管材１４の外側面から径方向へ伸びる突起１４ｃが有する溝部が、２本の腕１３ａの一方に係合して、抜け止めピン１１を突起１４ｃに係止している（例えば、特許文献１参照）。
【特許文献１】特開２００６−１６１８２１号公報
【発明の開示】
【発明が解決しようとする課題】
【０００７】
連結腕の中央部が、２本の脚部と連結腕の両端部とが含まれる平面に対し面外方向へ屈曲し、互いに対向する２本の腕部を形成しつつ延在していることにより、ピン形状や連結部材との固定手段が複雑なため、嵌め合い部が多くなり、曲げ箇所も増加し、加工工数が多くなり、ピン及び２部材の連結部構造の加工精度が求められるため生産性が悪く、コストが高価になってしまい、大量生産に不向きな連結部構造になってしまうという課題を有していた。
【０００８】
本発明は、前記従来の課題を解決するものであり、配管連結部材を簡素化し、生産性を向上することで安価な配管連結部材を提供することを目的とする。
【課題を解決するための手段】
【０００９】
前記従来の課題を解決するために、本発明の配管連結部材は、対称な２本の略棒状の脚部と前記脚部と連なる胴部を有する略コ形状の抜け止めピンと、連結穴を有する連結穴部
材とを備え、前記抜け止めピンの２本の略棒状の脚部を前記連結穴に挿入することで配管に嵌まり、前記配管と前記連結穴部材とを連結することを特徴とするもので、配管連結部材を簡単な形状で簡素化でき、配管に確実に抜け止めピンを固定し、抜け止め防止できることや、簡単な形状のため加工工数が少なくでき、生産性を向上することで安価な配管連結部材を提供することができる。
【発明の効果】
【００１０】
本発明によれば、複雑な構造を用いることなく簡単な構造で構成されているため、生産性を向上することができ、安価な抜け止め機能を持つ配管連結部材を提供することができる。
【発明を実施するための最良の形態】
【００１１】
第１の発明は、対称な２本の略棒状の脚部と前記脚部と連なる胴部を有する略コ形状の抜け止めピンと、連結穴を有する連結穴部材とを備え、前記抜け止めピンの２本の略棒状の脚部を前記連結穴に挿入することで配管に嵌まり、前記配管と前記連結穴部材とを連結することを特徴とするもので、抜け止めピンが、配管で固定され抜けを防止できる。
【００１２】
第２の発明は、抜け止めピンの２本の略棒状の脚部が挿入される連結穴部材の複数の連結穴は、長穴形状としたことを特徴とするもので、抜け止めピンが、配管に嵌まる時に横手方向に広がり、挿入し易くできる。
【００１３】
第３の発明は、抜け止めピンの略棒状の脚部の一部の形状は、配管に沿うＲ形状を形成していることを特徴とするもので、確実に配管に嵌まり固定され、抜け止めピンが抜けを防止できる。
【００１４】
第４の発明は、抜け止めピンは、弾性を有した材質を用いることを特徴とするもので、復元性があるので、嵌める動作により、抜け止めピンが広がっても、配管に嵌まってからは、元の形状となり、抜けを防止できる。
【００１５】
以下、本発明の実施の形態について、図面を参照しながら説明する。なお、この実施の形態によって本発明が限定されるものではない。
【００１６】
（実施の形態１）
図１は、本発明の実施の形態１に抜け止めピン及び２部材の連結部の構成図である。図１において、対称な２本の略棒状の脚部１ａと前記脚部１ａと連なる胴部１ｂを備える略コ形状の抜け止めピン１と、抜け止めピン１の２本の略棒状の脚部１ａの一部が連結穴部材３に挿入し、配管２に嵌まり連結されている。
【００１７】
また、抜け止めピン１の２本の略棒状の脚部２ａが挿入される連結穴部材３の複数の連結穴形状３ｂは、長穴形状としたことにより、前記抜け止めピン１が、配管２に嵌まる時に横手方向に広がり、挿入し易くできる。
【００１８】
また、抜け止めピン１の略棒状の脚部１ａの一部の形状は、配管２に沿うＲ形状を形成していることにより、確実に配管２に嵌まり固定され、抜け止めピン１が抜けにくくできる。
【００１９】
また、抜け止めピン１は、弾性を有した材質を用いることにより、復元性があるので、嵌める動作により、抜け止めピン１が広がっても、配管２に嵌まってからは、元の形状に復元するようになっている。
【００２０】
以上のように構成された配管連結部材に関して、抜け止めピン及び２部材の連結部が連結するための動作および作用を説明する。
【００２１】
まず、図２において、抜け止めピン１の構成について説明する。抜け止めピン１は、対称な２本の略棒状の脚部１ａと前記脚部１ａと連なる胴部１ｂを備える略コ形状に形成され、脚部１ａの一部は、配管２の外形に沿い嵌り易い形状にするためＲ形状とし、抜け止めピン１の脚部１ａの脚端部１ｃは、強度低下させないために配管２と連結穴部材３に傷を付け防止のＲ又は、Ｃ面形状（図示せず）にしている。
【００２２】
図３〜４において、抜け止めピン１の脚端部１ｃは、連結穴部材３の複数の連結穴３ａに挿入され、配管２の外形部に到達し、配管２の外形部に嵌まり込むため八の字に変形する。この時、抜け止めピン１の脚部１ａの脚端部１ｃが最大に変形した寸法Ｌ１は、必ず連結穴部材３の内寸法Ｌ２より、小さくしているため、連結穴部材３の内部に引っ掛かることもなく移動し、連結穴部材３の複数の連結穴形状３ａは、長穴形状としたことにより、八の字に変形した抜け止めピン１の脚端部１ｃにも引っ掛かることもない動作する。
【００２３】
抜け止めピン１の脚部１ａは、配管２の外形に沿うＲ形状にしているので、スムーズに嵌まり込み、抜け止めピン１の胴部１ｂが、連結穴部材の外形に当り、動作が終了する。抜け止めピン１が弾性を持っているので、八の字に変形し、配管２の外形部を乗り上げ嵌る瞬間にクリック間が生じ、嵌まる感覚が判り易くなるので作業者による誤挿入が発生し難い。又、抜け止めピン１の脚部１ａが、配管２の外形に確実に嵌まり込み固定されるので、抜け防止となる
図５において、２つの連結部材の配管２と連結穴部材３は、挿入された抜け止めピン１が連結穴部材３の複数の連結穴形状３ａにより固定され、配管の凸部２ａの手前に挿入され引っかかり、図中矢印の軸方向にも抜けず固定し連結することができる。又、シール部材４は、２つの連結部材の内部に流体や気体を封入し、気密性を持たせる場合に使われる物であるが、気密性を有さない構造であれば、シール部材４がなくても連結部材として使用できる。
【産業上の利用可能性】
【００２４】
以上のように、本発明は、配管連結部材に広く適用することができる。
【図面の簡単な説明】
【００２５】
【図１】（ａ）本発明の実施の形態１における配管連結部材の正面図（ｂ）同配管連結部材の側面図
【図２】本発明の実施の形態１における抜け止めピンの正面図
【図３】（ａ）本発明の実施の形態１における抜け止めピンと連結穴部材の構成図（ｂ）同抜け止めピンを連結穴部材に挿入したときの構成図
【図４】（ａ）本発明の実施の形態１における抜け止めピンを連結穴部材に挿入したときの構成図（ｂ）同抜け止めピンを連結穴部材に挿入したときの他の構成図（ｃ）同抜け止めピンを連結穴部材に挿入したときの他の構成図
【図５】本発明の実施の形態１における配管連結部材の断面図
【図６】従来の配管連結部材の構成図
【図７】従来の他の配管連結部材の構成図
【符号の説明】
【００２６】
１    抜け止めピン
１ａ  脚部
１ｂ  胴部
１ｃ  脚端部
２    配管
２ａ  凸部
３    連結穴部材
３ａ  連結穴部
４    シール部材
【図１】
2009019724.tif 000003
【図２】
2009019724.tif 000004
【図３】
2009019724.tif 000005
【図４】
2009019724.tif 000006
【図５】
2009019724.tif 000007
【図６】
2009019724.tif 000008
【図７】
2009019724.tif 000009